(57)【特許請求の範囲】
【請求項１】
第一基地局と、第二基地局とを備える通信システムであって、
前記第一基地局は、前記第一基地局とユーザ端末とが送受信するユーザデータが存在しない時間である第一の無データ時間を計測し、前記ユーザ端末が前記第一基地局から前記第二基地局へハンドオーバするときに、計測した前記第一の無データ時間を前記第二基地局へ引き渡し、
前記第二基地局は、前記ユーザ端末が前記第一基地局から前記第二基地局へハンドオーバするときに、前記第一基地局によって計測された前記第一の無データ時間を引き継ぎ、前記第二基地局と前記ユーザ端末とが送受信するユーザデータが存在しない時間である第二の無データ時間を計測し、前記第一の無データ時間と前記第二の無データ時間との合計値が閾値に達した時点で前記ユーザ端末を省電力モードに遷移させる、
通信システム。
【請求項２】
前記第一基地局と前記第二基地局とは、互いに異なる通信方式で前記ユーザ端末と通信する、
請求項１に記載の通信システム。
【請求項３】
ユーザ端末が他の基地局から自局へハンドオーバするときに、前記他の基地局と前記ユーザ端末とが送受信するユーザデータが存在しない時間である第一の無データ時間であって、前記他の基地局によって計測された前記第一の無データ時間を引き継ぐタイマ制御部と、
自局と前記ユーザ端末とが送受信するユーザデータが存在しない時間である第二の無データ時間を計測するタイマと、
前記第一の無データ時間と前記第二の無データ時間との合計値が閾値に達した時点で前記ユーザ端末を省電力モードに遷移させる通信制御部と、
を具備する基地局。
【発明の詳細な説明】
【技術分野】
【０００１】
本発明は、基地局及び通信システムに関する。
【背景技術】
【０００２】
３ＧＰＰ  ＬＴＥ（3rd  Generation  Partnership  Project  Long  Term  Evolution）では、ユーザ端末（User  Equipment：以下では「ＵＥ」と呼ぶことがある）の省電力化を図るために、例えば、「ＤＲＸ（Discontinuous  Reception）」という技術が採用されている。ユーザ端末は、自端末が送受信するユーザデータが存在しない時間が所定時間以上続くときに、ＰＤＣＣＨ（Physical  Downlink  Control  Channel）のモニタを常時行う「非ＤＲＸモード」から、一定間隔で間欠的に行う「ＤＲＸモード」へ遷移する。
【０００３】
図１は、関連技術のＤＲＸの説明に供する図である。なお、基地局によるＤＲＸの制御はユーザ端末毎に行われるが、以下では、説明を簡単にするために、１つのユーザ端末に着目して説明する。
【０００４】
図１において、ＬＴＥ基地局は、ユーザ端末との間で送受信するユーザデータ（以下では、ＬＴＥのユーザデータを「ＬＴＥ−ＵＤ」と呼ぶことがある）の有無を判断する。ＬＴＥ基地局は、送受信するＬＴＥ−ＵＤが存在しないと判断した時点で、自局が有するタイマＴＭ１を起動する。タイマＴＭ１の初期値は０であり、タイマＴＭ１は、ユーザ端末と送受信するＬＴＥ−ＵＤが生じた時点で停止及び０に初期化される。また、タイマＴＭ１の計測時間の閾値（つまり、タイマＴＭ１の満了時間）は例えば「ＴＩ」に設定される。タイマＴＭ１の計測時間が閾値ＴＩに達するまでは、ユーザ端末は非ＤＲＸモードを継続し、ＰＤＣＣＨのモニタを常時行う。ＬＴＥ−ＵＤが無い時間がＴＩだけ継続してタイマＴＭ１の計測時間が閾値ＴＩに達すると、ＬＴＥ基地局は、該当するユーザ端末へＤＲＸコマンドを送信し、ＤＲＸコマンドを受信したユーザ端末は、非ＤＲＸモードからＤＲＸモードへ遷移する。ＤＲＸモードへ遷移したユーザ端末は、その後、一定周期のＤＲＸサイクルＴＤ毎に一定時間ＴＯだけＰＤＣＣＨのモニタを行う。このように、ＤＲＸモードでは、ユーザ端末は間欠的にＰＤＣＣＨのモニタを行えば足り、ＴＯ以外の時間ではＰＤＣＣＨのモニタを省くことができるため、ユーザ端末の省電力化を図ることができる。
【０００５】
なお、ＤＲＸモードにあるユーザ端末は、ＰＤＣＣＨによるＬＴＥ基地局からの指示に従って、ＤＲＸモードから非ＤＲＸモードに復帰する。
【先行技術文献】
【特許文献】
【０００６】
【特許文献１】特開２０１３―０９０２８５号公報
【発明の概要】
【発明が解決しようとする課題】
【０００７】
現在、ＬＴＥは普及段階にあるため、ＬＴＥを用いた通信に加えて、ＬＴＥより旧式の通信方式である３Ｇを用いた通信も併せて運用されている。このため、現状の移動体通信システムでは、ＬＴＥ網と３Ｇ網とが混在している。よって、図２に示すように、ユーザ端末は、ＬＴＥ網と３Ｇ網との間で互いにハンドオーバ（以下では「ＨＯ」と呼ぶことがある）を行うことがある。
【０００８】
ここで、ＤＲＸはＬＴＥにおいて新たに採用された技術であり、３Ｇでは採用されていなかった。よって、従来、３Ｇ基地局では、ユーザ端末との間で送受信するユーザデータ（以下では、３Ｇのユーザデータを「３Ｇ−ＵＤ」と呼ぶことがある）が無い時間を計測すること、つまり、ＤＲＸの制御を目的としたタイマ管理は行われていなかった。
【０００９】
よって例えば、送受信するユーザデータが存在しないまま３Ｇ網からＬＴＥ網へＨＯするユーザ端末に対しては、図３に示すように、ＨＯを起点としてＬＴＥ基地局のタイマＴＭ１が起動されることになるため、タイマＴＭ１の計測時間には３Ｇ−ＵＤが無い時間Ｔ２が加味されない。よって、ユーザ端末がＤＲＸモードへ遷移するタイミングは、３Ｇ−ＵＤが無くなった時点から「Ｔ２＋ＴＩ経過後」となり、図１に示すような本来ＤＲＸモードに遷移したいタイミングである「ＴＩ経過後」よりもＴ２だけ遅くなってしまう。このようなＤＲＸモードへの遷移の遅れは、ユーザ端末の消費電力の増加を招く。特に音声通信時には、高品質な通信を行うために閾値ＴＩが大きな値に設定されることがあるため、ＤＲＸモードへの遷移の遅れがより顕著になる傾向がある。
【００１０】
図２及び図３は、課題の説明に供する図である。
【００１１】
さらに、現状の３ＧＰＰ  ＬＴＥの仕様では、ＬＴＥ基地局間でも、ＤＲＸの制御を目的としたタイマの計測値をやりとりするためのメッセージは規定されていないため、ＬＴＥ基地局間でタイマの計測値を引き継ぐことは難しい。このため、送受信するＬＴＥ−ＵＤが存在しないままＬＴＥ基地局間をＨＯするユーザ端末に対しては、ＨＯを起点として、ＨＯ先のＬＴＥ基地局において新たにタイマが起動されるので、ＨＯ先のＬＴＥ基地局でのタイマの計測値には、ＨＯ元のＬＴＥ基地局でのタイマの計測値は加味されない。よって、ＬＴＥ基地局間でＨＯが行われる場合でも、３Ｇ基地局とＬＴＥ基地局との間でＨＯが行われる場合と同様に、ユーザ端末がＤＲＸモードへ遷移するタイミングが本来ＤＲＸモードに遷移したいタイミングよりも遅くなってしまう。つまり、ＬＴＥ基地局間でも、上記と同様に、ＤＲＸモードへの遷移の遅れにより、ユーザ端末の消費電力の増加を招く。
【００１２】
開示の技術は、上記に鑑みてなされたものであって、ユーザ端末の省電力化に寄与することを目的とする。
【課題を解決するための手段】
【００１３】
開示の態様では、通信システムは、第一基地局と、第二基地局とを有する。前記第一基地局は、前記第一基地局とユーザ端末とが送受信するユーザデータが存在しない時間である第一の無データ時間を計測し、前記ユーザ端末が前記第一基地局から前記第二基地局へハンドオーバするときに、計測した前記第一の無データ時間を前記第二基地局へ引き渡す。前記第二基地局は、前記ユーザ端末が前記第一基地局から前記第二基地局へハンドオーバするときに、前記第一基地局によって計測された前記第一の無データ時間を引き継ぎ、引き継いだ前記第一の無データ時間を初期値として、前記第二基地局と前記ユーザ端末とが送受信するユーザデータが存在しない時間である第二の無データ時間を計測し、前記第一の無データ時間と前記第二の無データ時間との合計に基づいて前記ユーザ端末を省電力モードに遷移させる。
【発明の効果】
【００１４】
開示の態様によれば、ユーザ端末の省電力化に寄与することができる。
【図面の簡単な説明】
【００１５】
【図１】図１は、関連技術のＤＲＸの説明に供する図である。
【図２】図２は、課題の説明に供する図である。
【図３】図３は、課題の説明に供する図である。
【図４】図４は、実施例１の通信システムの構成の一例を示す図である。
【図５】図５は、実施例１の通信システムの動作の一例の説明に供する図である。
【図６】図６は、実施例１の３Ｇ基地局の構成の一例を示す機能ブロック図である。
【図７】図７は、実施例１のＬＴＥ基地局の構成の一例を示す機能ブロック図である。
【図８】図８は、実施例１の通信システムの処理シーケンスの一例を示す図である。
【図９】図９は、実施例１の通信システムの処理シーケンスの一例を示す図である。
【図１０】図１０は、実施例１のＬＴＥ基地局の処理の説明に供するフローチャートである。
【図１１】図１１は、実施例１の３Ｇ基地局の処理の説明に供するフローチャートである。
【図１２】図１２は、３ＧＰＰで規定されているＴＦＣＳの一例を示す図である。
【図１３】図１３は、３ＧＰＰで規定されているレイヤ１のパラメータの一例を示す図である。
【図１４】図１４は、３Ｇ基地局及びＬＴＥ基地局のハードウェア構成例を示す図である。
【発明を実施するための形態】
【００１６】
以下に、本願の開示する基地局及び通信システムの実施例を図面に基づいて説明する。なお、この実施例により本願の開示する基地局及び通信システムが限定されるものではない。また、各実施例において同一の機能を有する構成、及び、同一の処理を行うステップには同一の符号を付し、重複する説明を省略する。
【００１７】
［実施例１］
＜通信システムの構成＞
図４は、実施例１の通信システムの構成の一例を示す図である。図４に示す通信システム１は、ＵＥ１０と、外部パケット網２０と、３Ｇ網３０と、ＬＴＥ網４０とを有する。３Ｇ網３０は、３Ｇ基地局３１と、ＲＮＣ（Radio  Network  Controller）３２と、ＭＳＣ（Mobile  Switching  Center）３３とを有する。ＬＴＥ網４０は、ＬＴＥ基地局４１と、ＭＭＥ（Mobility  Management  Entity）４２と、ＳＧＷ（Serving  Gateway）４３と、ＰＧＷ（Packet  Data  Network  Gateway）４４とを有する。３Ｇ基地局３１は、３Ｇの通信方式を用いてＵＥ１０と通信を行う。ＬＴＥ基地局４１は、ＬＴＥの通信方式を用いてＵＥ１０と通信を行う。ＵＥ１０は、３Ｇ網３０とＬＴＥ網４０との間、つまり、３Ｇ基地局３１とＬＴＥ基地局４１との間でＨＯを行うことが可能なユーザ端末である。
【００１８】
＜通信システムの動作＞
図５は、実施例１の通信システムの動作の一例の説明に供する図である。
【００１９】
図５において、３Ｇ基地局３１は、ＵＥ１０との間で送受信する３Ｇ−ＵＤの有無を判断する。３Ｇ基地局３１は、送受信する３Ｇ−ＵＤが存在しないと判断した時点で、自局が有するタイマＴＭ２を起動する。
【００２０】
送受信する３Ｇ−ＵＤが存在しないままＵＥ１０が３Ｇ基地局３１からＬＴＥ基地局４１へＨＯした場合、ＨＯ元の３Ｇ基地局３１は、ＨＯの時点で、タイマＴＭ２によりＨＯの時点までに計測された時間Ｔ２をＨＯ先のＬＴＥ基地局４１へ引き渡す。これにより、３Ｇ−ＵＤが無かった時間Ｔ２がＬＴＥ基地局４１に引き継がれる。そこで、ＬＴＥ基地局４１は、ＨＯを起点として自局が有するタイマＴＭ１を起動する際に、３Ｇ基地局３１から引き継いだ時間Ｔ２をタイマＴＭ１の初期値に設定してからタイマＴＭ１を起動する。ＨＯ後、タイマＴＭ１の計測時間が閾値に達するまでは、ＵＥ１０は非ＤＲＸモードを継続し、ＰＤＣＣＨのモニタを常時行う。
【００２１】
タイマＴＭ１の計測時間の閾値は、上記と同様、例えば「ＴＩ」に設定される。よって、ＨＯ後にも引き続きＬＴＥ−ＵＤが存在しないまま時間Ｔ１が経過し、「Ｔ２＋Ｔ１≧ＴＩ」となった時点、つまり、「Ｔ１≧ＴＩ−Ｔ２」となった時点でタイマＴＭ１の計測時間が閾値に達してタイマＴＭ１が満了する。すなわち、３Ｇ−ＵＤが無い時間Ｔ２がタイマＴＭ１の計測時間に加味されるため、３Ｇ−ＵＤが無くなった時点を起点としてユーザデータが無いまま時間ＴＩだけ経過した時点でタイマＴＭ１が満了する。そして、ＨＯ後にＬＴＥ−ＵＤが無い時間がＴ１だけ継続してタイマＴＭ１の計測時間が閾値ＴＩに達すると、ＬＴＥ基地局４１は、ＵＥ１０へＤＲＸコマンドを送信し、ＤＲＸコマンドを受信したＵＥ１０は、非ＤＲＸモードからＤＲＸモードへ遷移する。つまり、図５では、ＵＥ１０がＤＲＸモードへ遷移するタイミングが図３よりもＴ２だけ早くなり、ＵＥ１０がＤＲＸモードへ遷移するタイミングは、図１に示すような本来ＤＲＸモードに遷移したいタイミングと同一になる。
【００２２】
このように、通信システム１は、３Ｇ基地局３１と、ＬＴＥ基地局４１とを有する。３Ｇ基地局３１は、３Ｇ基地局３１とＵＥ１０とが送受信する３Ｇ−ＵＤが存在しない時間である無データ時間Ｔ２を計測し、ＵＥ１０が自局からＬＴＥ基地局４１へＨＯするときに、計測した無データ時間Ｔ２をＬＴＥ基地局４１へ引き渡す。ＬＴＥ基地局４１は、ＵＥ１０が３Ｇ基地局３１から自局へハンドオーバするときに、３Ｇ基地局３１によって計測された無データ時間Ｔ２を引き継ぐ。ＬＴＥ基地局４１は、ＬＴＥ基地局４１とＵＥ１０とが送受信するＬＴＥ−ＵＤが存在しない時間である無データ時間Ｔ１を計測する。そして、ＬＴＥ基地局４１は、無データ時間Ｔ２と無データ時間Ｔ１との合計が閾値ＴＩに達したときに、ＵＥ１０をＤＲＸモードに遷移させる。
【００２３】
こうすることで、ＬＴＥ基地局４１が計測する無データ時間には、３Ｇ基地局３１によって計測された無データ時間が加味されるため、ＵＥ１０がＤＲＸモードへ遷移するタイミングの遅延を防止できる。よって、ＤＲＸモードへの遷移の遅れによる余分なＰＤＣＣＨのモニタを省いてＵＥ１０の消費電力の増加を防止でき、ＵＥ１０の省電力化に寄与することができる。
【００２４】
＜３Ｇ基地局の構成＞
図６は、実施例１の３Ｇ基地局の構成の一例を示す機能ブロック図である。図６において、３Ｇ基地局３１は、アンテナ３１１と、無線通信部３１２と、ＢＢ（Base  Band）処理部３１３と、通信制御部３１４と、ネットワークインタフェース部３１５と、３Ｇタイマ３１６と、タイマ制御部３１７とを有する。３Ｇタイマ３１６は、図５に示すタイマＴＭ２に相当する。
【００２５】
無線通信部３１２は、ＢＢ処理部３１３から入力されるベースバンドの送信信号に対し、デジタル−アナログ変換処理及びアップコンバート処理等を行い、アップコンバート後の送信信号をアンテナ３１１を介して送信する。また、無線通信部３１２は、アンテナ３１１を介して受信した受信信号に対し、ダウンコンバート処理及びアナログ−デジタル変換処理等を行ってベースバンドの受信信号を得て、ＢＢ処理部３１３に出力する。また、無線通信部３１２は、３Ｇの周波数帯域を用いて信号を送受信する。
【００２６】
ＢＢ処理部３１３は、通信制御部３１４から入力される制御メッセージ、３Ｇ−ＵＤ等の送信データに対して符号化処理及び変調処理等のＢＢ処理を行ってベースバンドの送信信号を生成し、生成した送信信号を無線通信部３１２に出力する。また、ＢＢ処理部３１３は、無線通信部３１２から入力されるベースバンドの受信信号に対し復調処理及び復号処理等のＢＢ処理を行って制御メッセージ、３Ｇ−ＵＤ等の受信データを得て、通信制御部３１４に出力する。
【００２７】
ネットワークインタフェース部３１５は、ＲＮＣ３２と接続され、ＢＢ処理部３１３から通信制御部３１４を介して入力される制御メッセージ及び３Ｇ−ＵＤをＲＮＣ３２に送信し、ＲＮＣ３２から受信した制御メッセージ及び３Ｇ−ＵＤを通信制御部３１４を介してＢＢ処理部３１３に出力する。また、ネットワークインタフェース部３１５は、ＬＴＥ基地局４１でのタイマの計測値である「Ｔsilent_lte」を、ＬＴＥ基地局４１からＲＮＣ３２を介して受信し、受信したＴsilent_lteを通信制御部３１４を介してタイマ制御部３１７に出力する。また、ネットワークインタフェース部３１５は、３Ｇタイマ３１６の計測値である「Ｔsilent_3g」をタイマ制御部３１７から通信制御部３１４を介して入力され、入力されたＴsilent_3gをＲＮＣ３２に送信する。
【００２８】
３Ｇタイマ３１６は、タイマ制御部３１７の制御の下で、３Ｇ−ＵＤが存在しない時間であるＴsilent_3gを計測する。
【００２９】
タイマ制御部３１７は、３Ｇタイマ３１６の起動等を制御する。例えば、タイマ制御部３１７は、送受信する３Ｇ−ＵＤが存在しないと判断されるときに、３Ｇタイマ３１６を起動する。この際、タイマ制御部３１７は、ネットワークインタフェース部３１５から入力されたＴsilent_lteを３Ｇタイマ３１６の初期値に設定してから３Ｇタイマ３１６を起動する。また、タイマ制御部３１７は、通信制御部３１４から入力されるタイマ値要求に応じて、３Ｇタイマ３１６の計測値であるＴsilent_3gを取得する。タイマ制御部３１７による３Ｇタイマ３１６のタイマ管理の詳細は後述する。
【００３０】
通信制御部３１４は、制御メッセージを生成してＢＢ処理部３１３またはネットワークインタフェース部３１５に出力する。また、通信制御部３１４は、ＢＢ処理部３１３またはネットワークインタフェース部３１５から入力される制御メッセージに基づいて、３Ｇ基地局３１の通信制御を行う。
【００３１】
＜ＬＴＥ基地局の構成＞
図７は、実施例１のＬＴＥ基地局の構成の一例を示す機能ブロック図である。図７において、ＬＴＥ基地局４１は、アンテナ４１１と、無線通信部４１２と、ＢＢ処理部４１３と、通信制御部４１４と、ネットワークインタフェース部４１５と、ＬＴＥタイマ４１６と、タイマ制御部４１７とを有する。ＬＴＥタイマ４１６は、図５に示すタイマＴＭ１に相当する。
【００３２】
無線通信部４１２は、ＢＢ処理部４１３から入力されるベースバンドの送信信号に対し、デジタル−アナログ変換処理及びアップコンバート処理等を行い、アップコンバート後の送信信号をアンテナ４１１を介して送信する。また、無線通信部４１２は、アンテナ４１１を介して受信した受信信号に対し、ダウンコンバート処理及びアナログ−デジタル変換処理等を行ってベースバンドの受信信号を得て、ＢＢ処理部４１３に出力する。また、無線通信部４１２は、ＬＴＥの周波数帯域を用いて信号を送受信する。
【００３３】
ＢＢ処理部４１３は、通信制御部４１４から入力される制御メッセージ、ＬＴＥ−ＵＤ等の送信データに対して符号化処理及び変調処理等のＢＢ処理を行ってベースバンドの送信信号を生成し、生成した送信信号を無線通信部４１２に出力する。また、ＢＢ処理部４１３は、無線通信部４１２から入力されるベースバンドの受信信号に対し復調処理及び復号処理等のＢＢ処理を行って制御メッセージ、ＬＴＥ−ＵＤ等の受信データを得て、通信制御部４１４に出力する。
【００３４】
ネットワークインタフェース部４１５は、ＭＭＥ４２及びＳＧＷ４３と接続される。ネットワークインタフェース部４１５は、ＢＢ処理部４１３から通信制御部４１４を介して入力される制御メッセージ及びＬＴＥ−ＵＤをＳＧＷ４３に送信し、ＳＧＷ４３から受信した制御メッセージ及びＬＴＥ−ＵＤを通信制御部４１４を介してＢＢ処理部４１３に出力する。また、ネットワークインタフェース部４１５は、ＢＢ処理部４１３から通信制御部４１４を介して入力される制御メッセージのうち、３Ｇ基地局３１宛ての制御メッセージをＭＭＥ４２に送信し、３Ｇ基地局３１からＬＴＥ基地局４１宛ての制御メッセージをＭＭＥ４２を介して受信する。また、ネットワークインタフェース部４１５は、３Ｇタイマ３１６の計測値である「Ｔsilent_3g」を、３Ｇ基地局３１からＭＭＥ４２を介して受信し、受信したＴsilent_3gを通信制御部４１４を介してタイマ制御部４１７に出力する。また、ネットワークインタフェース部４１５は、ＬＴＥタイマ４１６の計測値である「Ｔsilent_lte」をタイマ制御部４１７から通信制御部４１４を介して入力され、入力されたＴsilent_lteをＭＭＥ４２に送信する。
【００３５】
ＬＴＥタイマ４１６は、タイマ制御部４１７の制御の下で、ＬＴＥ−ＵＤが存在しない時間であるＴsilent_lteを計測する。
【００３６】
タイマ制御部４１７は、ＬＴＥタイマ４１６の起動等を制御する。例えば、タイマ制御部４１７は、送受信するＬＴＥ−ＵＤが存在しないと判断されるときに、ＬＴＥタイマ４１６を起動する。この際、タイマ制御部４１７は、ネットワークインタフェース部４１５から入力されたＴsilent_3gをＬＴＥタイマ４１６の初期値に設定してからＬＴＥタイマ４１６を起動する。また、タイマ制御部４１７は、通信制御部４１４が自局から３Ｇ基地局３１へのＵＥ１０のＨＯを決定したときに、ＬＴＥタイマ４１６の計測値であるＴsilent_lteを取得する。タイマ制御部４１７によるＬＴＥタイマ４１６のタイマ管理の詳細は後述する。
【００３７】
通信制御部４１４は、制御メッセージを生成してＢＢ処理部４１３またはネットワークインタフェース部４１５に出力する。また、通信制御部４１４は、ＢＢ処理部４１３またはネットワークインタフェース部４１５から入力される制御メッセージに基づいて、ＬＴＥ基地局４１の通信制御を行う。例えば、通信制御部４１４は、ＬＴＥタイマ４１６の計測値Ｔsilent_lteに基づいてＤＲＸの制御を行い、Ｔsilent_lteが閾値ＴＩに達したときに、ＵＥ１０をＤＲＸモードへ遷移させるＤＲＸコマンドを生成してＵＥ１０に送信する。
【００３８】
＜通信システムの処理＞
図８及び図９は、実施例１の通信システムの処理シーケンスの一例を示す図である。図８には、ＵＥ１０が３Ｇ基地局３１からＬＴＥ基地局４１へＨＯする場合の処理シーケンスを示し、図９には、ＵＥ１０がＬＴＥ基地局４１から３Ｇ基地局３１へＨＯする場合の処理シーケンスを示す。
【００３９】
＜ＵＥが３Ｇ基地局からＬＴＥ基地局へＨＯする場合の処理シーケンス（図８）＞
図８において、３Ｇ基地局３１と接続中のＵＥ１０は、一定周期で、ＲＳＲＰ（Reference  Signal  Received  Power）の測定結果を３Ｇ基地局３１を介してＲＮＣ３２に報告する（ステップＳ０１）。例えば、ＵＥ１０は、３Ｇ基地局３１から送信された参照信号の受信電力である「ＲＳＲＰ１」と、ＬＴＥ基地局４１から送信された参照信号の受信電力である「ＲＳＲＰ２」とを測定してＲＮＣ３２に報告する。
【００４０】
ＲＮＣ３２は、ＵＥ１０から報告されるＲＳＲＰに基づいて、ＵＥ１０を３Ｇ基地局３１からＬＴＥ基地局４１へＨＯさせるか否かを決定する（ステップＳ０２）。例えば、ＲＮＣ３２は、ＲＳＲＰ１が閾値未満に低下したときに、ＲＳＲＰ２が閾値以上にあるか否か判断し、ＲＳＲＰ２が閾値以上にあれば、ＵＥ１０を３Ｇ基地局３１からＬＴＥ基地局４１へＨＯさせることを決定する。ＲＮＣ３２は、３Ｇ基地局３１からＬＴＥ基地局４１へのＵＥ１０のＨＯを決定すると、タイマ値要求を３Ｇ基地局３１に送信する（ステップＳ０３）。
【００４１】
タイマ値要求を受信した３Ｇ基地局３１では、タイマ値要求に応じて、タイマ制御部３１７が、３Ｇタイマ３１６の計測値、つまり、３Ｇ−ＵＤが存在しない時間であるＴsilent_3gをＬＴＥ基地局４１に引き渡すために、Ｔsilent_3gを３Ｇタイマ３１６から取得して通信制御部３１４に出力する。通信制御部３１４は、Ｔsilent_3gを含むタイマ値応答を生成してＲＮＣ３２に送信する（ステップＳ０４）。
【００４２】
タイマ値応答を受信したＲＮＣ３２は、ＨＯ要求とＴsilent_3gとをＭＳＣ３３に送信する（ステップＳ０５）。
【００４３】
次いで、ＭＳＣ３３は、CS  to  PS  RequestとＴsilent_3gとをＭＭＥ４２に送信する（ステップＳ０６）。
【００４４】
次いで、ＭＭＥ４２は、ＨＯ要求とＴsilent_3gとをＬＴＥ基地局４１に送信する（ステップＳ０７）。
【００４５】
ステップＳ０４〜Ｓ０７の処理により、ＵＥ１０が３Ｇ基地局３１からＬＴＥ基地局４１へＨＯするときに、３Ｇ基地局３１での３Ｇタイマ３１６の計測値Ｔsilent_3gが３Ｇ基地局３１からＬＴＥ基地局４１へ引き渡される。
【００４６】
ＨＯ要求を受信したＬＴＥ基地局４１では、通信制御部４１４が、ＵＥ１０用の回線確立及び呼設定を行う（ステップＳ０８）。また、通信制御部４１４を介してＴsilent_3gを入力されたタイマ制御部４１７が、ＬＴＥタイマ４１６のタイマ管理を開始する（ステップＳ０９）。ステップＳ０９のタイマ管理の詳細は後述する。
【００４７】
ステップＳ０８での回線確立及び呼設定を完了した通信制御部４１４は、HO  AckをＭＭＥ４２に送信する（ステップＳ１０）。
【００４８】
HO  Ackを受信したＭＭＥ４２は、CS  to  PS  ResponseをＭＳＣ３３に送信する（ステップＳ１１）。
【００４９】
CS  to  PS  Responseを受信したＭＳＣ３３は、HO  CommandをＲＮＣ３２に送信する（ステップＳ１２）。
【００５０】
HO  Commandを受信したＲＮＣ３２は、そのHO  Commandを３Ｇ基地局３１を介してＵＥ１０に送信する（ステップＳ１３）。
【００５１】
HO  Commandを受信したＵＥ１０は、ＵＥ１０の接続先を、３Ｇ基地局３１からＬＴＥ基地局４１へ切り替え（ステップＳ１４）、切替完了後、HO  CompleteをＬＴＥ基地局４１に送信する（ステップＳ１５）。
【００５２】
HO  Completeを受信したＬＴＥ基地局４１では、通信制御部４１４が、そのHO  CompleteをＭＭＥ４２に送信する（ステップＳ１６）。
【００５３】
HO  Completeを受信したＭＭＥ４２は、PS  to  CS  CompleteをＭＳＣ３３に送信する（ステップＳ１７）。
【００５４】
PS  to  CS  Completeを受信したＭＳＣ３３は、AckをＭＭＥ４２に送信するとともに（ステップＳ１８）、リソース解放指示をＲＮＣ３２に送信する（ステップＳ１９）。
【００５５】
リソース解放指示を受信したＲＮＣ３２は、ＵＥ１０用にＲＮＣ３２が確保していたリソースを解放するとともに（ステップＳ２０）、ステップＳ１９で受信したリソース解放指示を３Ｇ基地局３１に送信する（ステップＳ２１）。
【００５６】
リソース解放指示を受信した３Ｇ基地局３１では、通信制御部３１４が、ＵＥ１０用に通信制御部３１４が確保していたリソースを解放し（ステップＳ２２）、AckをＲＮＣ３２に送信する（ステップＳ２３）。
【００５７】
Ackを受信したＲＮＣ３２は、そのAckをＭＳＣ３３に送信する（ステップＳ２４）。
【００５８】
＜ＵＥがＬＴＥ基地局から３Ｇ基地局へＨＯする場合の処理シーケンス（図９）＞
図９において、ＬＴＥ基地局４１と接続中のＵＥ１０は、一定周期で、ＲＳＲＰの測定結果をＬＴＥ基地局４１に報告する（ステップＳ４１）。例えば、ＵＥ１０は、３Ｇ基地局３１から送信された参照信号の受信電力である「ＲＳＲＰ１」と、ＬＴＥ基地局４１から送信された参照信号の受信電力である「ＲＳＲＰ２」とを測定してＬＴＥ基地局４１に報告する。
【００５９】
ＲＳＲＰの測定結果を受信したＬＴＥ基地局４１では、通信制御部４１４が、ＵＥ１０から報告されるＲＳＲＰに基づいて、ＵＥ１０をＬＴＥ基地局４１から３Ｇ基地局３１へＨＯさせるか否かを決定する（ステップＳ４２）。例えば、通信制御部４１４は、ＲＳＲＰ２が閾値未満に低下したときに、ＲＳＲＰ１が閾値以上にあるか否か判断し、ＲＳＲＰ１が閾値以上にあれば、ＵＥ１０をＬＴＥ基地局４１から３Ｇ基地局３１へＨＯさせることを決定する。通信制御部４１４は、ＬＴＥ基地局４１から３Ｇ基地局３１へのＵＥ１０のＨＯを決定すると、ＨＯを決定したことをタイマ制御部４１７に通知する。この通知に従って、タイマ制御部４１７は、ＬＴＥタイマ４１６の計測値、つまり、ＬＴＥ−ＵＤが存在しない時間であるＴsilent_lteを３Ｇ基地局３１に引き渡すために、Ｔsilent_lteをＬＴＥタイマ４１６から取得して通信制御部４１４に出力する。Ｔsilent_lteを入力された通信制御部４１４は、ＨＯ要求とＴsilent_lteとをＭＭＥ４２に送信する（ステップＳ４３）。
【００６０】
次いで、ＭＭＥ４２は、PS  to  CS  RequestとＴsilent_lteとをＭＳＣ３３に送信する（ステップＳ４４）。
【００６１】
次いで、ＭＳＣ３３は、ＨＯ要求とＴsilent_lteとをＲＮＣ３２に送信し（ステップＳ４５）、ＲＮＣ３２は、受信したＨＯ要求とＴsilent_lteとを３Ｇ基地局３１に送信する（ステップＳ４６）。
【００６２】
ステップＳ４３〜Ｓ４６の処理により、ＵＥ１０がＬＴＥ基地局４１から３Ｇ基地局３１へＨＯするときに、ＬＴＥ基地局４１でのＬＴＥタイマ４１６の計測値Ｔsilent_lteがＬＴＥ基地局４１から３Ｇ基地局３１へ引き渡される。
【００６３】
ＨＯ要求を受信した３Ｇ基地局３１では、通信制御部３１４が、３Ｇ基地局３１とＲＮＣ３２とＭＳＣ３３との間で、ＵＥ１０用の回線確立及び呼設定を行う（ステップＳ４７）。ステップＳ４７での回線確立及び呼設定を完了した通信制御部３１４は、HO  AckをＲＮＣ３２に送信する（ステップＳ４８）。また、通信制御部３１４を介してＴsilent_lteを入力されたタイマ制御部３１７が、３Ｇタイマ３１６のタイマ管理を開始する（ステップＳ４９）。ステップＳ４９のタイマ管理の詳細は後述する。
【００６４】
HO  Ackを受信したＲＮＣ３２は、そのHO  AckをＭＳＣ３３に送信する（ステップＳ５０）。
【００６５】
HO  Ackを受信したＭＳＣ３３は、PS  to  CS  ResponseをＭＭＥ４２に送信する（ステップＳ５１）。
【００６６】
PS  to  CS  Responseを受信したＭＭＥ４２は、HO  CommandをＬＴＥ基地局４１に送信する（ステップＳ５２）。
【００６７】
HO  Commandを受信したＬＴＥ基地局４１では、通信制御部４１４が、その受信されたHO  CommandをＵＥ１０に送信する（ステップＳ５３）。
【００６８】
HO  Commandを受信したＵＥ１０は、ＵＥ１０の接続先を、ＬＴＥ基地局４１から３Ｇ基地局３１へ切り替え（ステップＳ５４）、切替完了後、HO  Completeを３Ｇ基地局３１を介してＲＮＣ３２に送信する（ステップＳ５５）。
【００６９】
HO  Completeを受信したＲＮＣ３２は、そのHO  CompleteをＭＳＣ３３に送信する（ステップＳ５６）。
【００７０】
HO  Completeを受信したＭＳＣ３３は、PS  to  CS  CompleteをＭＭＥ４２に送信する（ステップＳ５７）。
【００７１】
PS  to  CS  Completeを受信したＭＭＥ４２は、AckをＭＳＣ３３に送信するとともに（ステップＳ５８）、リソース解放指示をＬＴＥ基地局４１に送信する（ステップＳ５９）。
【００７２】
リソース解放指示を受信したＬＴＥ基地局４１では、通信制御部４１４が、ＵＥ１０用に通信制御部４１４が確保していたリソースを解放し（ステップＳ６０）、AckをＭＭＥ４２に送信する（ステップＳ６１）。
【００７３】
＜ＬＴＥ基地局の処理＞
図１０は、実施例１のＬＴＥ基地局の処理の説明に供するフローチャートである。図１０のフローチャートは、ＬＴＥ基地局４１がＭＭＥ４２からＴsilent_3gを受信したときに開始され、図８におけるステップＳ０９の「タイマ管理」の処理に相当する。
【００７４】
図１０において、ＭＭＥ４２からＴsilent_3gを受信したＬＴＥ基地局４１では、タイマ制御部４１７が、Ｔsilent_3gをＬＴＥタイマ４１６の初期値に設定する（ステップＳ１０１）。
【００７５】
次いで、通信制御部４１４が、ＬＴＥ基地局４１とＵＥ１０との無線同期が確立したか否かを判断する（ステップＳ１０２）。この判断は、無線同期が確立するまで繰り返し行われる（ステップＳ１０２：Ｎｏ）。
【００７６】
ＬＴＥ基地局４１とＵＥ１０との無線同期が確立すると（ステップＳ１０２：Ｙｅｓ）、タイマ制御部４１７は、Ｔsilent_3gを初期値に設定したＬＴＥタイマ４１６を起動する（ステップＳ１０３）。これにより、ＬＴＥタイマ４１６は、Ｔsilent_3gを初期値として、ＵＥ１０のＬＴＥ−ＵＤが無い時間の計測を開始する。
【００７７】
次いで、通信制御部４１４は、ＵＥ１０のＬＴＥ−ＵＤの有無を判断し、判断結果をタイマ制御部４１７に通知する（ステップＳ１０４）。
【００７８】
ＬＴＥ−ＵＤが有るときは（ステップＳ１０４：Ｙｅｓ）、タイマ制御部４１７は、ＬＴＥタイマ４１６を０に初期化した後、ＬＴＥタイマ４１６を再起動する（ステップＳ１０５）。一方で、ＬＴＥ−ＵＤが無いときは（ステップＳ１０４：Ｎｏ）、ステップＳ１０５の処理は行われない。よって、ＬＴＥ−ＵＤが無いときは、ＬＴＥタイマ４１６での計測が継続される。
【００７９】
次いで、通信制御部４１４は、ＬＴＥ基地局４１とＵＥ１０との無線同期の確立が継続しているか否かを判断し、判断結果をタイマ制御部４１７に通知する（ステップＳ１０６）。無線同期の確立が継続しているときは（ステップＳ１０６：Ｙｅｓ）、処理はステップＳ１０４に戻る。
【００８０】
一方で、無線同期の確立が中断したときは（ステップＳ１０６：Ｎｏ）、タイマ制御部４１７は、ＬＴＥタイマ４１６を０に初期化した後、ＬＴＥタイマ４１６を停止する（ステップＳ１０７）。
【００８１】
＜３Ｇ基地局の処理＞
図１１は、実施例１の３Ｇ基地局の処理の説明に供するフローチャートである。図１１のフローチャートは、３Ｇ基地局３１がＲＮＣ３２からＴsilent_lteを受信したときに開始され、図９におけるステップＳ４９の「タイマ管理」の処理に相当する。
【００８２】
図１１において、ＲＮＣ３２からＴsilent_lteを受信した３Ｇ基地局３１では、タイマ制御部３１７が、Ｔsilent_lteを３Ｇタイマ３１６の初期値に設定する（ステップＳ３０１）。
【００８３】
次いで、通信制御部３１４が、３Ｇ基地局３１とＵＥ１０との無線同期が確立したか否かを判断する（ステップＳ３０２）。この判断は、無線同期が確立するまで繰り返し行われる（ステップＳ３０２：Ｎｏ）。
【００８４】
３Ｇ基地局３１とＵＥ１０との無線同期が確立すると（ステップＳ３０２：Ｙｅｓ）、タイマ制御部３１７は、Ｔsilent_lteを初期値に設定した３Ｇタイマ３１６を起動する（ステップＳ３０３）。これにより、３Ｇタイマ３１６は、Ｔsilent_lteを初期値として、ＵＥ１０の３Ｇ−ＵＤが無い時間の計測を開始する。
【００８５】
次いで、通信制御部３１４は、ＵＥ１０の３Ｇ−ＵＤの有無を判断し、判断結果をタイマ制御部３１７に通知する（ステップＳ３０４）。
【００８６】
３Ｇ−ＵＤが有るときは（ステップＳ３０４：Ｙｅｓ）、タイマ制御部３１７は、３Ｇタイマ３１６を０に初期化した後、３Ｇタイマ３１６を再起動する（ステップＳ３０５）。一方で、３Ｇ−ＵＤが無いときは（ステップＳ３０４：Ｎｏ）、ステップＳ３０５の処理は行われない。よって、３Ｇ−ＵＤが無いときは、３Ｇタイマ３１６での計測が継続される。
【００８７】
次いで、通信制御部３１４は、３Ｇ基地局３１とＵＥ１０との無線同期の確立が継続しているか否かを判断し、判断結果をタイマ制御部３１７に通知する（ステップＳ３０６）。無線同期の確立が継続しているときは（ステップＳ３０６：Ｙｅｓ）、処理はステップＳ３０４に戻る。
【００８８】
一方で、無線同期の確立が中断したときは（ステップＳ３０６：Ｎｏ）、タイマ制御部３１７は、３Ｇタイマ３１６を０に初期化した後、３Ｇタイマ３１６を停止する（ステップＳ３０７）。
【００８９】
以上のように、ＵＥ１０が３Ｇ基地局３１からＬＴＥ基地局４１へＨＯするときには、３Ｇ基地局３１のタイマ制御部３１７は、３Ｇタイマ３１６の計測値Ｔsilent_3gをＬＴＥ基地局４１へ引き渡す。ＬＴＥ基地局４１では、タイマ制御部４１７がＴsilent_3gを３Ｇ基地局３１から引き継ぎ、ＬＴＥタイマ４１６が、引き継がれたＴsilent_3gを初期値としてＴsilent_lteを計測する。そして、ＬＴＥ基地局４１の通信制御部４１４は、Ｔsilent_3gとＴsilent_lteとの合計が閾値ＴＩに達したときに、ＵＥ１０をＤＲＸモードに遷移させる。
【００９０】
また、ＵＥ１０がＬＴＥ基地局４１から３Ｇ基地局３１へＨＯするときには、ＬＴＥ基地局４１のタイマ制御部４１７は、ＬＴＥタイマ４１６の計測値Ｔsilent_lteを３Ｇ基地局３１へ引き渡す。３Ｇ基地局３１では、タイマ制御部３１７がＴsilent_lteをＬＴＥ基地局４１から引き継ぎ、３Ｇタイマ３１６が、引き継がれたＴsilent_lteを初期値としてＴsilent_3gを計測する。
【００９１】
これにより、ＵＥ１０が３Ｇ基地局３１とＬＴＥ基地局４１との間でＨＯを繰り返しても、無データ時間の計測が継続して行われるため、ＬＴＥ基地局４１が計測する無データ時間には、３Ｇ基地局３１によって計測された無データ時間が加味される。このため、ＵＥ１０がＤＲＸモードへ遷移するタイミングの遅延を防止できる。よって、ＤＲＸモードへの遷移の遅れによる余分なＰＤＣＣＨのモニタを省いてＵＥ１０の消費電力の増加を防止でき、ＵＥ１０の省電力化に寄与することができる。
【００９２】
＜３Ｇ−ＵＤの有無の判断＞
図１２は、３ＧＰＰで規定されているＴＦＣＳ（Transport  Format  Combination  Set）の一例を示す図である。また、図１３は、３ＧＰＰで規定されているレイヤ１のパラメータの一例を示す図である。
【００９３】
図１２に示すように、ＴＦＣＳは、ＤＣＨ（Dedicated  Channel）＃１〜＃３の３つのユーザデータチャネルと、ＤＣＣＨ（Dedicated  Control  Channel）の１つの制御チャネルとにそれぞれ対応するＴＦ（Transport  Format）の６種類の組合せとして規定される。
【００９４】
また、図１３に示すように、ＤＣＨ＃１のＴＦは、ＴＦ０である場合は０ビット、ＴＦ１である場合は３９ビット、ＴＦ２である場合は８１ビットを表す。また、ＤＣＨ＃２のＴＦは、ＴＦ０である場合は０ビット、ＴＦ１である場合は１０３ビットを表す。また、ＤＣＨ＃３のＴＦは、ＴＦ０である場合は０ビット、ＴＦ１である場合は６０ビットを表す。よって、図１２に示す６つのＴＦＣＳのうち、（TF0,TF0,TF0,TF0）と、（TF0,TF0,TF0,TF1）の２つが、ＵＥ１０が送受信するユーザデータが存在しないことを示す。
【００９５】
３Ｇ基地局３１の通信制御部３１４は、ＵＥ１０が送受信するユーザデータ及び制御データの量に応じて、図１２に示す６つのＴＦＣＳのうち何れのＴＦＣＳをＵＥ１０に適用するか決定する。そこで、通信制御部３１４は、図１２に示す６つのＴＦＣＳのうち、（TF0,TF0,TF0,TF0）または（TF0,TF0,TF0,TF1）のＴＦＣＳをＵＥ１０に適用したときに、ＵＥ１０が送受信する３Ｇ−ＵＤが存在しないと判断する。
【００９６】
＜ＬＴＥ−ＵＤの有無の判断＞
ＬＴＥ基地局４１では、通信制御部４１４は、ネットワークインタフェース部４１５から入力される下りのＬＴＥ−ＵＤをバッファ（図示せず）に一時的に保持した後にＢＢ処理部４１３に出力する。また、ＵＥ１０は、上りのＬＴＥ−ＵＤが有る場合、ＵＥ１０からのデータ送信を要求する情報をＬＴＥ基地局４１に通知する。そこで、通信制御部４１４は、ＬＴＥ−ＵＤがバッファに保持されておらず、かつ、ＵＥ１０からのデータ送信を要求する情報も無い場合に、ＵＥ１０が送受信する３Ｇ−ＵＤが存在しないと判断する。
【００９７】
［他の実施例］
［１］上記実施例では、ユーザ端末が３Ｇ基地局とＬＴＥ基地局との間でＨＯを行う場合、つまり、互いに異なる通信方式の基地局間をユーザ端末がＨＯする場合を一例として挙げた。しかし、ユーザ端末がＬＴＥ基地局間でＨＯする場合にも、上記と同様にして、ＨＯ先のＬＴＥ基地局が、ＨＯ元のＬＴＥ基地局でのタイマの計測値を引き継いでも良い。
【００９８】
［２］３Ｇ網はUTRAN（Universal  Terrestrial  Radio  Access  Network）と呼ばれ、ＬＴＥ網はE-UTRAN（Evolved  Universal  Terrestrial  Radio  Access  Network）と呼ばれることがある。また、３Ｇ基地局はNodeBと呼ばれ、ＬＴＥ基地局はeNBと呼ばれることがある。
【００９９】
［３］ＤＲＸモードは、ＵＥ１０の省電力モードの一つである。ＬＴＥ基地局４１は、無データ時間が閾値に達したときに、ＵＥ１０を、ＤＲＸモード以外の省電力モードに遷移させてもよい。
【０１００】
［４］３Ｇ基地局３１及びＬＴＥ基地局４１は、次のようなハードウェア構成により実現することができる。図１４は、３Ｇ基地局及びＬＴＥ基地局のハードウェア構成例を示す図である。図１４に示すように、３Ｇ基地局３１及びＬＴＥ基地局４１は、ハードウェアの構成要素として、プロセッサ３０ａと、メモリ３０ｂと、無線通信モジュール３０ｃと、ネットワークインタフェースモジュール３０ｄとを有する。プロセッサ３０ａの一例として、ＣＰＵ（Central  Processing  Unit），ＤＳＰ（Digital  Signal  Processor），ＦＰＧＡ（Field  Programmable  Gate  Array）等が挙げられる。また、３Ｇ基地局３１及びＬＴＥ基地局４１は、プロセッサ３０ａと周辺回路とを含むＬＳＩ（Large  Scale  Integrated  circuit）を有してもよい。メモリ３０ｂの一例として、ＳＤＲＡＭ等のＲＡＭ，ＲＯＭ，フラッシュメモリ等が挙げられる。
【０１０１】
アンテナ３１１，４１１と、無線通信部３１２，４１２とは、無線通信モジュール３０ｃにより実現される。ネットワークインタフェース部３１５，４１５は、ネットワークインタフェースモジュール３０ｄにより実現される。ＢＢ処理部３１３，４１３と、通信制御部３１４，４１４と、３Ｇタイマ３１６と、ＬＴＥタイマ４１６と、タイマ制御部３１７，４１７とは、プロセッサ３０ａにより実現される。
【符号の説明】
【０１０２】
１  通信システム
１０  ＵＥ
３０  ３Ｇ網
３１  ３Ｇ基地局
４０  ＬＴＥ網
４１  ＬＴＥ基地局
３１４，４１４  通信制御部
３１６  ３Ｇタイマ
４１６  ＬＴＥタイマ
３１７，４１７  タイマ制御部
【図１】
0006520144.tif 000002
【図２】
0006520144.tif 000003
【図３】
0006520144.tif 000004
【図４】
0006520144.tif 000005
【図５】
0006520144.tif 000006
【図６】
0006520144.tif 000007
【図７】
0006520144.tif 000008
【図８】
0006520144.tif 000009
【図９】
0006520144.tif 000010
【図１０】
0006520144.tif 000011
【図１１】
0006520144.tif 000012
【図１２】
0006520144.tif 000013
【図１３】
0006520144.tif 000014
【図１４】
0006520144.tif 000015